(57)【要約】【課題】浴槽の底部の外側の発光機能付きブローノズルのネジを外さないで、浴槽内部で簡単に発光機能付きブローノズルの機能を再生さす。【解決手段】発光機能付きブローノズルを二つのユニットに分けて、一方を浴槽に固定し、他方に必要機能をもたせて、固定ユニットから浴槽内部に対して、Ｏリングを介して着脱可能な構造にし、浴槽内部での簡単な作業で必要機能の交換再生を行う。【選択図】図３
2007275524.tif 000002
【特許請求の範囲】
【請求項１】
浴槽用の発光機能付きブローノズルにおいて、発光機能付きブローノズルが複数の機能ユニットから構成され、少なくとも一つの機能ユニットが浴槽底部に取り付けられる構造であり、他の機能ユニットの少なくとも一つが、一体構成された他の複数の機能ユニットに対して、浴槽内側から着脱可能になる構造にし、着脱機能ユニットには外部からの少なくとも供給エアーがコネクターを介して接続され、浴槽内側においてそれらコネクターの着脱ができる構造にした手段。
【請求項２】
浴槽用の発光機能付きブローノズルにおいて、発光機能付きブローノズルが二つの機能ユニットから構成され、一つの機能ユニットが浴槽底部に取り付けられる構造であり、他の機能ユニットは、エアーコネクターと電気コネクターで供給エアーと供給電気に接続され、浴槽低部に取り付けられた機能ユニットに対して、浴槽内側から着脱可能になるようなＯリング嵌合構造とされ、浴槽内側においてエアーコネクターと電気コネクターの着脱ができる構造にした手段。
【請求項３】
浴槽用の発光機能付きブローノズルにおいて、発光機能付きブローノズルが三つの機能ユニットから構成され、一つの機能ユニットが浴槽底部に取り付けられる外環構造であり、二つ目の機能ユニットはＬＥＤなどの電装部品から構成された中環構造であり、その機能ユニットは電気コネクターで接続され、浴槽低部に取り付けられた機能ユニットに対して、浴槽内側から着脱可能になるようなＯリング嵌合構造とされ、浴槽内側において電気コネクターの着脱ができる構造とされ、三つ目の機能ユニットは、エアー送出部品などで構成された中核構造であり、その機能ユニットはエアーコネクターで供給エアーに接続され、中環構造の機能ユニットに対して、浴槽内側から着脱可能になるようなＯリング嵌合構造とされ、浴槽内側においてエアーコネクターの着脱ができる構造にした手段。
【発明の詳細な説明】
【技術分野】本発明は浴槽の発光機能付きブローノズルの取換え可能なユニットに関する。
【背景技術】最近、浴槽の底にブローノズルを設営し浴槽外よりエアーをブローノズルに供給して、底より発生する泡の感触を楽しむ、或いは泡の生成消滅を見て楽しむ人が増えてきた。さらに、エアーだけではなく、カラーフルな光が泡の変化でゆらぐ様を見て楽しむ人も増えてきた。図１はその様子を模式的に示したものである。図１上は浴槽底より、泡と光Ｃが２ヶ所のブローノズルから発生している様子を示しており、図１下は図１上の断面を示しており、浴槽低部に光と泡が発生する発光機能付きブローノズルＤ、ブローノズルを取り付ける穴、ブローノズルに電気とエアーを電線ＥとエアーパイプＦと夫々のコネクターＥＣとＦＣで供給している様子を模式的に示したものである。
図２は、従来の発光機能付きブローノズルが浴槽に取り付けられた様子の断面を示したもので、詳しくは浴槽壁の底部Ａに、円筒形のノズル外装部Ｄ１がパッキンＤＰを介して  ノズル外装部止めネジＤ２によって取り付けられた様子を示している。ＤＰは黒図で示している。ノズル外装部の中心部は、上部に円筒形のノズル先端部ＤＳがネジ込で取りつつけられ、下部には円筒形のエアーコネクター上部ＦＣＵがネジ込で取り付けられている。ノズル先端部ＤＳの構造はエアーを通す穴Ｆ１、Ｆ２、Ｆ３の３個があって、部品外観は斜視図で示した通りである。エアーコネクター上部ＦＣＵの構造は中心にエアーの通る穴Ｇが開いており、ＦＣＵは黒図で示す通りである。ＤＳとＦＣＵの間は、エアーの供給がない時にお湯の逆流を止める為の逆止弁球ＤＨが  あって、ＤＨの直径は、穴Ｇの直径より大きく、ＤＳとＦＣＵの空間を移動できるようになっており、穴Ｇを通って浴槽にエアーが送られると空気圧により逆止弁球ＤＨは上方向に移動させられノズル先端部ＤＳの穴Ｆ１，Ｆ２，Ｆ３の低部に不安定な形で付着する。その状態でエアーは穴Ｆ１或いはＦ２或いはＦ３を通って浴槽の内側ＩＮのお湯のある側に放出され、これが泡となる。エアーが止まった時は、ＤＨは重力とＦ１、Ｆ２、Ｆ３を通ってきた水圧によりエアーコネクター上部ＦＣＵの穴Ｇの出口に付着して、穴Ｇを塞ぎＧのなかにはお湯は入らないようになっている。
また、ノズル外装部Ｄ１は光透明体で構成されており、複数のＬＥＤがノズル先端部ＤＳの周りに配置されるように、筒型の溝ＤＭが用意されており、あらかじめ環状の基板に配置された複数ＬＥＤとその供給用電線がその溝に挿入されシリコンＳＩで封入されており、供給電源は封入シリコンの外部で浴槽の外部にある電気コネクターＥＣＵとＥＣＳで結線されていて、図示してない供給電源の開閉でＬＥＤの点滅を行い、光Ｌの点滅となる。また、エアーに関しても浴槽の外部においてエアーコネクターＦＣＵとＦＣＳとを結線して、図示してない供給エアー源の制御でエアーの調整を行い、泡の制御を行う。
これら装置は、延べ長時間に渡りお湯はりの浴槽で使用することになり、Ｆ１、Ｆ２、Ｆ３の穴、ＤＳとＦＣＵの空間、Ｇの穴、ＤＨなどにゴミ、或いは  毛などが付着しエアー機能が劣ってくるとか、或いはかびなどが発生し衛生上このましくないとか、ＬＥＤが切れて機能が劣ってくる場合があって、その都度正常な状態にもどす作業をしないといけない。それは、発光機能付きブローノズル全体を変えるにしても部品を変えるにしても、発光機能付きブローノズル全体を浴槽から取り外さないといけなく、そのためにはお湯は抜き、浴槽の低部の外側のネジＤ３を外すことになり、浴槽を動かすか、或いは外側底面の作業をすることになる。お湯抜きは作業の前提であるが、それら作業は作業性の悪い悪条件下の仕事となり、結果として作業時間にからむ大きな作業損失問題となっている。
【発明が解決しようとする課題】
本発明は以上の点を考慮して、浴槽の低部の発光機能付きブローノズルの外側のネジを外すことなく、従って、浴槽を動かすことなく、浴槽の内側の作業を行って、問題を解決する装置を提供するものである。
【課題を解決するための手段】
不良部品等を良品に交換或いは清掃する場合に、浴槽の外底部のネジ図２のＤ２を外す構造が問題であるから、この外底部のネジを外さなくても必要な部品が浴槽内部に取り出せる構造にすればよい。その構造は発光機能付きブローノズルの外装部Ｄ１を２つの機能ユニットに分け、一方を浴槽に固定して、他方を必要な部品装着された着脱可能な形にすればよい。
【発明を実施するための最良の形態】図３はその解決例を示した説明図である。図３のノズル外装部の部品Ｄ１を図に示すようにＤ１１とＤ１２の二つの機能ユニットに分ける。Ｄ１１はＤ１２が嵌合するような穴をもつ筒状であり、Ｄ１２は、図２で示した複数の機能が装着された機能ユニットである。Ｄ１２については、斜視図に示した通りである。Ｄ１１とＤ１２はオーリングＯを介してかつ断面Ｌ字形の段差をもつ嵌合となっており、Ｌ字形の形状はＤ１２を外す場合は浴槽の内側ＩＮ方向のみ可能となるような形になっている。オーリングの固定はＤ１２にリング状のオーリングが固定される溝をつくり固定し、Ｄ１１側にもオーリングが挿入できる溝を用意しておく。これによって嵌合した時は、内部ＩＮの水圧によりオーリングＯに圧力がかかり浴槽内のお湯が外側ＯＵＴには漏れてこない構成となり、Ｄ１２の取り外しもお湯を抜いて水圧をなくしておくと、Ｄ１２に対し浴槽内側に力を加えることにより比較的簡単に浴槽内側ＩＮに取り外すことができることである。
詳しくは、まず、お湯のない状態で浴槽底面に機能ユニットＤ１１が装着できる穴をあけ、Ｄ１１をパッキンＤＰを介してネジＤ２で締め付けてとめる。次にエアー供給パイプＦの先端に予めエアーコネクター下部ＦＣＳがとりついた状態のＦＣＳと、電気の供給線Ｅの先端に予め電気コネクター下部ＥＣＳがとりついた状態のＥＣＳをＤ１１の筒穴を通して浴槽内側ＩＮに挿入しておく。ここまでで浴槽外ＯＵＴの底面での仕事は終りである。機能ユニット１２には、浴槽壁まわりの作業とは独立に、エアー先端部ＤＳ、逆止弁球ＤＨ、エアーコネクタ上部ＦＣＵ、ＬＥＤの封入、供給電気の上部コネクタＥＣＵ  及びオーリングＯ等を装着しておく。浴槽内側に持ち込まれたエアーコネクター下部ＦＣＳと電気コネクター下部ＥＣＳと、ノズル外装Ｄ１２のエアーコネクター上部ＦＣＵと電気コネクター上部ＥＣＵとをそれぞれ結合する。次にＤ１１とＤ１２とを嵌合して取り付けの作業は終了となる。
次に、長時間使用して、機能ユニット１２に取り付けられたエアー先端部ＤＳのエアーの通り道とか、逆止弁球ＤＨの位置する周りのエアーの通り道とか、上部コネクタＦＣＵにつながるエアーの通り道Ｇとか、逆止弁球ＤＨ  にゴミなどが付着し、所定のエアーが流れなく不具合が生じる場合がある。或いは、ＬＥＤが切れて照明に不具合が生じる場合がある。そのような場合は、お湯を抜き取った状態で、ノズル外装Ｄ１２を、浴槽に装着されているＤ１１から浴槽内側ＩＮに取りはずして、内側ＩＮにおいて、エアーコネクター上部ＦＣＵと下部ＦＣＳを切り離し、と同様に電気コネクター上部ＥＣＵと下部ＥＣＳを切り離す。次に、あたらしい、予め問題のない各部品が装着されたＤ１２をもってきて、エアーコネクター上部ＦＣＵと下部ＦＣＳを結合し、と同様に電気コネクター上部ＥＳＵと下部ＥＦＳを結合する。次にＤ１１にＤ１２を嵌合すれば問題は解決する。
再度、機能ユニットＤ１２に、不具合点が生じた場合は、再度、機能ユニットＤ１２を取り外して新しい問題のないＤ１２に取り替えればよい。
これらの装置を使用することにより、一度Ｄ１１を浴槽に取り付けるだけで浴槽の底面外側の課題とした悪条件下の作業がなくなる。
また、不具合Ｄ１２を新しいＤ１２に換える必要はない場合は、不具合Ｄ１２を分解して清掃或いは問題ない部品のみ取り替え再度組立ててもよい。
重要な点は浴槽内側で作業するということで、エアーコネクター上部ＦＣＵと下部ＦＣＳ及びエアー供給パイプＦ、電気コネクター上部ＥＣＵと下部ＥＣＳ及び電線Ｅの全体がＤ１２と供に浴槽内側ＩＮに抜ける構造になっていることである。
また、Ｄ１１を浴槽に装着する方法は、図４のように浴槽底部でノズル止めネジをしなく、ネジＤ２１でパッキンＤＰ１を介して、浴槽内部ＩＮから浴槽Ａを締めて装着する方法もある。
また、Ｄ１１にＤ１２を装着する方法は図５のように、機能ユニット止めネジＴ１、Ｔ２をオーリングＯの替わりにパッキンＤＰ２、ＤＰ３を介してＤ１１に取り付ける方法である。この場合はＤＰ２，ＰＤ３は必要に応じて複数あってもよいし、あるいは形状も必要に応じて変形してもよい。また、ＬＥＤは密閉された状態なので、この部分はＤ１１に取り付けられて容易には外すことが出来ない構成とし、エアーに関する部分のみを容易に着脱できる構造としてもよい。
重要なことは、発光機能付きブローノズルの問題が発生しない部分を１度浴槽に装着しておいて、問題が発生する可能性がある機能ユニットを浴槽内側から作業して、問題を解決するという手段を提供することである。従って、ここ図４、図５に示した手段以外にも設計上の程度の差はあるが同様のものは考えられるが、図４、図５あるいはその他のものも、本発明に含まれる。
また、Ｄ１２の機能ユニットに他の電気仕掛け、例えば音響スピーカーなどが組み込まれた場合も本発明に含まれることは言うまでもない。
【発明の効果】
本発明によれば、悪条件下の作業がなくなり、発光機能付きブローノズルの交換が容易になり交換にかかる損失費用が大幅減少となる。
【図面の簡単な説明】
【図１】本発明にかかる説明図
【図２】本発明にかかる説明図
【図３】本発明にかかる説明図
【図４】本発明にかかる説明図
【図５】本発明にかかる説明図
【符号の説明】
Ａ              浴槽
Ｂ              お湯
Ｃ              泡と光
Ｄ              発光機能付きブローノズル
Ｅ              電線
ＥＣ            電気コネクター
Ｆ              エアーパイプ
ＦＣ            エアーコネクター
ＤＳ            ノズル先端部
Ｄ１            ノズル外装部
Ｄ２            ノズル外装部止めネジ
ＤＰ            パッキン
ＤＨ            逆止弁球
Ｆ１            ノズル先端部ＤＳのエアーを通す穴
Ｆ２            ノズル先端部ＤＳのエアーを通す穴
Ｆ３            ノズル先端部ＤＳのエアーを通す穴
ＬＥＤ          ＬＥＤ素子
Ｌ              光
Ｇ              エアーコネクター上部ＦＣＵのエアーを通す穴
ＦＣＵ          エアーコネクタ上部
ＦＣＳ          エアーコネクター下部
ＳＩ            シリコン
ＥＣＵ          電気コネクター上部
ＥＣＳ          電気コネクター下部
ＩＮ            浴槽の内側
ＯＵＴ          浴槽の外側
Ｄ１１          機能ユニット
Ｄ１２          機能ユニット
Ｏ              オーリング
ＤＰ１          パッキン
Ｄ２１          ノズル外装部止めネジ
Ｔ１            機能ユニット止めネジ
Ｔ２            機能ユニット止めネジ
ＤＰ２          パッキン
ＤＰ３          パッキン
【図１】
2007275524.tif 000003
【図２】
2007275524.tif 000004
【図３】
2007275524.tif 000005
【図４】
2007275524.tif 000006
【図５】
2007275524.tif 000007